(57)【要約】【課題】  頭髪の抜け落ち防止のための水泳用帽子の機能と、装飾的な帽子の見た目の良さを併せ持つ水中ウォーキング用帽子を提供する。【解決手段】  合成繊維の生地を使った外帽子１の被り口付近８に結合された外帽子側面ファスナー５と、合成繊維を使った内帽子２の被り口７にゴム３が縫合された付近に結合した内帽子側面ファスナー４とが、面ファスナーの機能を使って着脱可能に結合し一体化した二重構造の帽子とした。【選択図】図１
0003207837.tif 000002
【実用新案登録請求の範囲】
【請求項１】
装飾的な機能を有する外帽子の裏側に、伸縮性のある内帽子が結合される２重構造で、内帽子により水中で頭髪を押さえることを特徴とする水中ウォーキング用帽子。
【請求項２】
前記外帽子と前記内帽子は、面ファスナー、ホック、ボタン、クリップ、線ファスナー、マグネット、粘着シートのいずれかの着脱可能な留め具で結合、あるいは縫合により結合することを特徴とする請求項１記載の水中ウォーキング用帽子。
【請求項３】
前記外帽子は、ツバのある形状で、前記外帽子及び前記内帽子は、化学繊維からなることを特徴とする請求項１または、請求項２記載の水中ウォーキング用帽子。
【考案の詳細な説明】
【技術分野】
【０００１】  この考案は、プール等の入水時に使用するキャップ及び帽子の衣料装身具の技術分野に属するものである。
【背景技術】
【０００２】  従来、プールでの使用を目的ともするバンダナ風帽子を提供することが記載されている。（例えば特許文献１参照。）
【先行技術文献】
【特許文献】
【０００３】
【特許文献１】特開平１０−２２６９１４号公報
【考案の概要】
【考案が解決しようとする課題】
【０００４】  前記の公知例のものによっても、既存の水泳用帽子の機能を満たしつつ、見た目においてもファツション性のあるものとして着用できると考えられるが、バンダナを巻くデザインに限定されたものであるため、利用者に制限があった。【０００５】  即ち、この公知例は、既存の水泳用帽子の機能と装身具としての帽子の機能を併せ持ち、ファツション性に優れたものであるが、バンダナを巻く格好を好まない利用者においては有効でなく、万人広くを対象にするためには改善点が望まれる。【０００６】  この考案が解決しようとする第１の課題点は、前記の如き限定された使用者のみならず、より多くの利用者を対象とすることである。【０００７】  この考案が解決しようとする第２の課題点は、装身具としての帽子の一部分と、既存の水泳用帽子の一部分を多様な構成で結合させ、材料が安価で、構造が単純で、製造が容易なものを提供することである。【０００８】  この考案が解決しようとする第３の課題点は、外見はあたかも装身具としての帽子を装着しているように見えるが、実は水中に髪が抜け落ちづらいという水泳用帽子の機能を併せ持つ水中ウォーキング用帽子を提供することである。
【課題を解決するための手段】
【０００９】  第一の考案は、水泳用帽子の被り口付近と、装身具としての帽子の被り口付近とが結合し一体化する二重構造の水中ウォーキング用帽子である。【００１０】  前記水中ウォーキング用帽子は、水中で頭髪を押さえる機能を具えつつも、外見には装飾的な帽子を被っているが如くに見え、前記水泳用帽子のみの着用で、あらわになる頭部の形をカモフラージュすることができる。【００１１】  第二の考案は、前記水泳用帽子と装飾的な帽子を、面ファスナー、ホック、ボタン、クリップ、マグネット、線ファスナー、粘着シートのいずれかの着脱可能な留め具で結合し、あるいは縫合により結合する。【００１２】  第三の考案は、装飾的な帽子のつばの形状により顔を少し覆い隠すことができ、素顔をあらわにすることに戸惑いを感じる女性や高齢者の使用に最適である。【００１３】  また、水中に落ちても浮くように、化学繊維の生地で形成する。【００１４】  以上の如き解決手段によれば、既存の水泳用帽子着用時の外見の違和感が取り除かれ、さらには一般に広く受け入れられる形状の水中ウォーキング用帽子が提供できる。
【考案の効果】
【００１５】  この考案は、既存の水泳用帽子着用時の頭部の外見の悪さや違和感、また頭の形にコンプレックスがある場合や素顔をあらわにしたくないなどの理由で、これまで水中ウォーキングの運動を断念していた人に、不安を無くさせ、やる気にさせる効果がある。【００１６】  したがって、水中で簡単に脱げ落ちることがないファッション性のあるお洒落な帽子で、安心して楽しく水中ウォーキングの運動ができる。【００１７】  また装飾的な帽子部分のデザイン次第で、幅広い年代で使用者が見込まれる他、学校やプール施設の指導員および監視業務に従事する人の着用にも有効である。【００１８】  以上のことにより、運動を意欲的に取り組む人が増え、人々の心身の健康維持と増進、さらには健康寿命の延長の手だてとしても期待でき、社会貢献にも繋がる。
【図面の簡単な説明】
【００１９】
【図１】外帽子及び内帽子の使用形態の側面図
【図２】図１のＡＡ´から見た断面図
【図３】外帽子及び内帽子の使用形態の斜視図
【考案を実施するための形態】
【００２０】  以下に、本考案の形態例を図面に基づいて説明する。
【００２１】  図１は、本考案の使用形態の基本構成であり、外帽子１と内帽子２が一体化する２重構造の側面図である。また外帽子１には、つば６が付いている。
【００２２】  図１の外帽子１と内帽子２の布部分は、耐水性のある水に浮く合成繊維からなる。
【００２３】  図１の外帽子１の被り口付近８に、外帽子側面ファスナー５が縫合する。
【００２４】  図１の内帽子２の被り口７にゴム３が縫合され、そのゴム３の伸縮性により、額あたりを締め付け、髪のはみ出しと抜け落ちを防ぐとともに、帽子が脱げにくくなる機能を持つ。
【００２５】  図１の内帽子２のゴム３付近に内帽子側面ファスナー４を縫合する。
【００２６】  図１の内帽子側面ファスナー４と外帽子側面ファスナー５は、双方の面ファスナーの機能を利用して結合する。
【００２７】  また図１の外帽子１と外帽子２の結合は、面ファスナーの機能により着脱が可能で、そのことは水中ウォーキング用帽子の装着動作を容易にさせる。
【００２８】  この結合については、面ファスナーに限らず、ホック、ボタン、クリップ、線ファスナー、マグネット、粘着シートなどの着脱可能な留め具でもよい。
【００２９】  図１の外帽子１と内帽子２の結合において着脱の必要がない場合は、留め具を使用せず縫合してもよい。
【００３０】  図２は、外帽子１と内帽子２の結合部分の断面図である。
【００３１】  図２の外帽子１の外帽子側面ファスナー５の位置は、前後左右の４箇所にあり、内帽子２の内帽子側面ファスナー４も同様の位置に取り付けている。外帽子側面ファスナー５は、内帽子側面ファスナー４より寸法を広く取る。
【００３２】  そのことにより、外帽子側面ファスナー５と内帽子側面ファスナー４の着脱位置を都度変えることができ、外帽子１を浅く被るか、深く被るかなどの調節が好みでできる。
【００３３】  図２は、内帽子側面ファスナー４と外帽子側面ファスナー５の留め具をそれぞれ４箇所としているが、外帽子１の形状などにより、その数は限定されない。
【００３４】  図３（ａ）の外帽子１の上部の形や、つば６の形や大きさ、及び外帽子１全体のデザインにおいても、実施例の形状に限定されないことはいうまでもない。
【００３５】  尚、外帽子１の女性用は、美しい配色や柄にし、リボンや花や紐などの装飾を付けるなど、ファッション性を重視し、年代や流行に合わせさまざまなデザインにしうる。
【００３６】  外帽子１の男性用は、キャンプや釣り、散歩など、アウトドア用帽子に合う色、柄、形にし、日常的な装身具としての帽子となんら変わらない使用感で着用できるデザインにしうる。
【００３７】  外帽子１の子供用は、目立つ色やポップな柄、流行の模様、またリボンやフリルを付けて可愛らしくするなどで、水中運動が楽しく意欲的に取り組めるようなデザインにしうる。
【００３８】  図３（ｂ）は、内帽子２の被り口７にゴム３が縫合され、その付近に内帽子側面ファスナー４が縫合される。
【００３９】  本考案の水中ウォーキング用帽子の装着方法は、まず図３（ｂ）の内帽子２に頭髪を押し込みながら被り、その上から重ねて図３（ａ）の外帽子１を被る。
【００４０】  その後、外帽子１の外帽子側面ファスナー５と内帽子２の内帽子側面ファスナー４が重なる好みの位置に調節し、外帽子１の外側から、内帽子側面ファスナー４付近を手で押し、面ファスナーの機能を利用して外帽子１と内帽子２を着脱可能に結合させる。
【００４１】  本考案は、水中ウォーキング以外にも、水中エアロビクスや水中マタニティー運動などの水中運動、さらにはベビースイミングの際の付添い人の使用にも適している。
【００４２】  また、この水中ウォーキング用帽子を被ることで、その場が明るくなり円滑なコミュニケーションが図れる帽子である。
【符号の説明】
【００４３】１  外帽子
２  内帽子
３  ゴム
４  内帽子側面ファスナー
５  外帽子側面ファスナー
６  つば
７  被り口
８  被り口付近
【図１】
0003207837.tif 000003
【図２】
0003207837.tif 000004
【図３】
0003207837.tif 000005